(57)【要約】      （修正有）【課題】障子紙を貼りなおす際に、一人で貼れる障子紙を提供する。【解決手段】一人で貼れる障子紙１１であって、障子紙は、障子戸の複数の横桟の、上下の横桟から形成される一段分の幅を備えており、障子戸を立てた状態で一人で貼れるようにした。障子紙は、障子戸の上下の横桟から形成される全ての段分を積層させた上、筒状の中芯１２に巻き取られていて、障子戸の上下の横桟から形成される一段分の幅を備えた一枚を筒状体に丸めておき、全ての段分の筒状体を薄板状で略全ての郵便物投函口に投函することができる大きさからなる収納容器に収納してある。【選択図】図１
0003234777.tif 000002
【実用新案登録請求の範囲】
【請求項１】
一人で貼れる障子紙であって、
前記障子紙は、障子戸の複数の横桟の、上下の横桟から形成される一段分の幅を備えており、
前記障子戸を立てた状態で一人で貼れるようにしたことを特徴とする一人で貼れる障子紙。
【請求項２】
前記障子紙は、前記障子戸の上下の横桟から形成される全ての段分を積層させた上、筒状の中芯に巻き取られていることを特徴とする請求項１に記載の一人で貼れる障子紙。
【請求項３】
前記障子紙は、前記障子戸の上下の横桟から形成される一段分の幅を備えた一枚を筒状体に丸めておき、全ての段分の前記筒状体を薄板状で略全ての郵便物投函口に投函することができる大きさからなる収納容器に収納してあることを特徴とする請求項１に記載の一人で貼れる障子紙。
【請求項４】
前記障子紙は、前記障子戸の上下の横桟から形成される全ての段分を積層させた上、四つ折りに折りたたむ際の折り返し部分に筒状の芯材を配置して、前記障子紙を前記筒状の芯材の周面に沿うよう折りたたむことにより、折り返し部分に折り目が形成されないようにしたことを特徴とする請求項１に記載の一人で貼れる障子紙。
【考案の詳細な説明】
【技術分野】
【０００１】
この考案は障子紙の新しい貼り方を提供することができる一人で貼れる障子紙に関するものである。
【背景技術】
【０００２】
近年は障子紙を糊を用いて乾燥状態で簡単に障子貼りする方法が採られている。例えば障子紙に予め熱で溶融するポリマーを付着させておいてアイロンでポリマーを糊として使用する製品が特開平７−２２９０９９や同７−３００５７５に示されている。しかしこれらは乾燥した障子紙に熱溶融ポリマー製の糊を付着させ、アイロンの熱で障子桟に貼るものであって、障子の全面に貼れるサイズを有する障子紙を障子全体に一挙に貼るようにしたものである。
【０００３】
また、障子の桟ごとに一段ずつ貼れるサイズを有する障子紙もあるが、長尺の障子紙を折りたたんで包装してあり、これを広げて障子の桟ごとに一段ずつ貼ろうとすると、ずれやすくて桟ごとに間違いなく貼ることが難しく、非常に手間のかかる作業となっていたのが実情であった。
【０００４】
障子紙は楮、三椏、雁皮やマニラ麻などの靭皮繊維を用いたものが手漉き障子紙では通例であるが、近年は靭皮繊維の変わりにレーヨン繊維とポリビニルアルコールからなるビニロン繊維とビニロンバインダー繊維、更にこれら靭皮繊維やセルロースパルプを混抄した湿式抄紙で生産されるのが機械抄障子紙として主である。紙の均一性や腰の強さ、紙の強さや取扱い性などは十分であった。これらに付いて障子紙はＪＩＳ Ｃ ３１０２に規定されている。
【先行技術文献】
【特許文献】
【０００５】
【特許文献１】特開平７−２２９０９９号公報
【特許文献２】特開平７−３００５７５号公報
【特許文献３】特開２００３−１１９６９４号公報
【考案の概要】
【考案が解決しようとする課題】
【０００６】
日本住宅の和室やインテリア材料としての障子紙は建築様式の洋風化に伴い、目にしない風景になってきた。
その障子紙の良さは高温多湿の日本の季節に合った木と紙を使う日本人の原風景として認められてはいるものの時代の移り変わりに従い、室内の密閉性とエアーコンデションニングによる生活空間環境の改善が行われてきたために、障子本来の室内同士や室内と屋外を仕切ったりする作用が失われてきた。
その結果、古い障子紙を剥がして新しい障子紙を貼ると言う作業が、利便性や取扱い性の点からも遠のいているものと思われる。
【０００７】
本考案の解決しようとする課題は障子貼り作業の簡易化である。ちなみに、「一枚貼り」といわれる障子紙は直径５ｃｍの紙管に巻かれて紙管長さが約１ｍ程度のものであり、大きな体積で長さも長く、大変取り扱いにくいものである。販売する店内に陳列するにしても大きなスペースを必要とする。
また従来の巻き障子紙は貼る面積にも拠るが二間貼用では２５ｃｍ幅で巻き長さ２２．５ｍは直径７ｃｍで体積は１２２５ｃｍ3、２８ｃｍ幅で巻き長さ１８．８ｍは直径６ｃｍで体積は１００８ｃｍ3と容積は少ないが障子貼作業は非常に多くなり手間がかかる。
同様に折り障子紙でも二間貼用では２５ｃｍ幅では長さ９４ｃｍが２４枚、２８ｃｍ幅では長さ９４ｃｍが２２枚、２８ｃｍ幅では長さ９４ｃｍが２４枚、と折り畳まれた状態である。この場合でも折り跡が残り、障子貼作業は非常に多くなり手間がかかる問題がある。
【０００８】
もう一つの体積を大きくしている要因は障子紙が「皺」になっては商品価値がなくなるために巻物の形態にしていることである。
さらに障子を貼る時、障子枠や桟に糊をつけて貼る作業があることである。同様に、準備として障子の枠や桟は貼る前の古い障子紙を水で剥がしてきれいにする作業も含まれる。これを更に容易にすることも考えねばならない。この作業の要因は糊が容易に水に溶解すること、濡れた障子紙の表面強度と湿潤強度があることで障子桟からスムースに古い障子紙は剥離する事ができる。
また、障子張り作業のとき障子枠からはみ出した障子紙をカッターナイフ等で切り取るが、糊で濡れた状態の紙が、乾燥時と変わらない障子紙の強度と切れ味を示さねばならない。
【０００９】
本考案は、このような従来技術に存在する問題点に着目してなされたものである。その目的とするところは、障子紙梱包様式の簡易化を目指し、付随して発生する従来からの障子紙への皺の発生を解消することと、この皺の発生に対抗する障子張り作業の容易化を提供することにある。
【課題を解決するための手段】
【００１０】
すなわち、本考案に係る一人で貼れる障子紙は、障子戸の複数の横桟の、上下の横桟から形成される一段分の幅を備えており、前記障子戸を立てた状態で一人で貼れるようにしたことを特徴とするものである。
【００１１】
本考案に係る一人で貼れる障子紙は、前記障子戸の上下の横桟から形成される全ての段分を積層させた上、筒状の中芯に巻き取られていることをも特徴とするものである。
【００１２】
本考案に係る一人で貼れる障子紙は、前記障子戸の上下の横桟から形成される一段分の幅を備えた一枚を筒状体に丸めておき、全ての段分の前記筒状体を薄板状で略全ての郵便物投函口に投函することができる大きさからなる収納容器に収納してあることをも特徴とするものである。
【００１３】
本考案に係る一人で貼れる障子紙は、前記障子戸の上下の横桟から形成される全ての段分を積層させた上、四つ折りに折りたたむ際の折り返し部分に筒状の芯材を配置して、前記障子紙を前記筒状の芯材の周面に沿うよう折りたたむことにより、折り返し部分に折り目が形成されないようにしたことをも特徴とするものである。
【００１４】
障子紙素材としてはビニロンバインダー繊維、セルロースパルプや靭皮繊維とレーヨン繊維とビニロン繊維等の親水性繊維や、変性ポリエステルバインダー繊維やポリエステル繊維、ポリアクリルニトリル繊維等の疎水性等の基本的には従来のほぼすべての素材が使用可能である。
【考案の効果】
【００１５】
本考案の一人で貼れる障子紙は、例えば障子戸を上下を逆にして壁などに立てかけ、一段の横桟分の障子紙を横桟ごとに上部から一段ずつ貼り付けるようにしたものであり、障子戸を寝かせることなく、立たせた状態で、非常に効率よくスピーディに、かつ皺の発生もなく貼ることができる。
また本考案の一人で貼れる障子紙は、前記一段の横桟分の障子紙が積層された上で筒状の中芯に巻き取られていて、貼り付け作業時に一枚ずつ小巻に巻き取って筒状体にすることによりスピーディに、かつ皺の発生もなく貼ることができる。
【００１６】
さらに本考案の一人で貼れる障子紙は、前記障子戸の上下の横桟から形成される一段分の幅を備えた一枚を筒状体に丸めておき、全ての段分の前記筒状体を薄板状で略全ての郵便物投函口に投函することができる大きさからなる収納容器に収納し包装されていて、店頭に飾るときは整然と飾ることができ、持ち運ぶ際にもかさ張らずに手軽に持ち運ぶことができ、略全ての郵便物投函口に投函することができるので配送料を低減させることができる。
さらに本考案の一人で貼れる障子紙は、前記障子戸の上下の横桟から形成される全ての段分を積層させた上、四つ折りに折りたたむ際の折り返し部分に筒状の芯材を配置して、前記障子紙を前記筒状の芯材の周面に沿うよう折りたたむことにより、折り返し部分に折り目が形成されないようにして包装されるので、四つ折りにしたとしても折り目をつけることなく折りたたむこともできる。
【００１７】
上記のとおり、本考案の奏する作用効果について、従来技術と対比して述べると次のとおりである。
（ａ）従来、障子紙の障子戸への貼付は、障子戸を寝かせ、屈んで貼っていた。そのため、障子戸の起倒動作や貼付する者の屈伸運動を要求され、長時間屈んだ状態を維持しなければならない等、非常に負担の大きい作業となっていた。
一方、本考案の一人で貼れる障子紙は、障子戸の上下の横桟から形成される一段分ずつに切った状態で巻き取りあるいは折り畳んで梱包・包装されているので、障子戸が鴨居に入ったまま、あるいは取り外して壁等に立てかけたまま等の障子戸を立てた状態のままで、長時間屈んで作業することなく、一人で立って貼付することができる。
（ｂ）従来の折り障子紙は、三つ折り又は四つ折りに折った状態で梱包・包装されているので、折り目がつきやすく、半ば折り目がつくことを前提とさえしたものであった。
一方、本考案の一人で貼れる障子紙は、一段分ずつに切った障子紙を積層させた上で折りたたんであるものの、その際の折り返し部分には芯材を配置し、折り返し部分の障子紙が前記芯材の周面に沿って折り曲げられるので、折り目がつくことを防止することができる。さらに、前記障子紙を障子戸に貼付する際には、前記芯材に一段分の障子紙を巻き付けて使用することもでき、非常に効率的に障子紙を貼付することができる。
（ｃ）従来、障子紙は紙管を芯材として巻き取り、あるいは障子紙を積層させた上で折りたたんで梱包・包装され、障子戸への貼付が行われてきた。
本考案の一人で貼れる障子紙は、障子戸の上下の横桟から形成される一段分ずつに切った状態で、一枚ずつ小巻に巻き取って筒状体としてあるので、紙管を必要とせず、一枚の障子戸に必要な枚数分の筒状体を、郵便物投函口に投函することができる程の薄板状の収納容器に収納して配送することができるので、輸送コストを大幅に低減することができる。また、薄板状の収納容器に収納してあるので、障子戸へ貼付するまでは収納容器のまま整然と省スペースで収納することができるとともに、障子戸へ貼付する際は、一枚ずつ小巻に巻き取られた筒状体一つ一つを、障子戸の上下の横桟から形成される一段一段に貼付していけばよいので、非常に効率的に障子紙を一人で貼付することができる。
さらに、前記収納容器に収納する筒状体は、筒状体ごとに色を変えたり、紙質を変えたりすることもできるので、いろいろな種類の障子紙を貼ることもできる。
【図面の簡単な説明】
【００１８】
【図１】本考案の一人で貼れる障子紙を構成する障子紙の第１実施例の概略斜視図である。
【図２】本考案の一人で貼れる障子紙を構成する障子紙の第２実施例の概略斜視図である。
【図３】その一枚ずつ丸めて筒状体とした障子紙を収納容器に収納した状態を示し、（ａ）は収納容器に筒状体を収納した状態の概略斜視図、（ｂ）は収納容器の蓋を占めた状態を示す概略斜視図である。
【図４】本考案の一人で貼れる障子紙を構成する障子紙の第３実施例を示し、（ａ）は概略正面図、（ｂ）は概略斜視図、（ｃ）は芯材の一方を気泡緩衝材に置き換えた概略正面図である。
【図５】本考案の一人で貼れる障子紙の貼り方を示す概略図であって、障子戸の上下を逆にした状態で、上部一段目の横桟に障子紙を貼ろうとする状態を示す概略斜視図である。
【図６】その、上部一段目の横桟に障子紙を貼る途中の状態を示す概略斜視図である。
【図７】その、上部２段目の横桟に障子紙を貼ろうとする状態を示す概略斜視図である。
【図８】その、上部２段目の横桟に障子紙を貼った状態を示す概略斜視図である。
【図９】その概略正面図および要部拡大図である。
【図１０】その、全ての段の横桟に障子紙を貼り終えた状態を示す概略正面図である。
【図１１】その、障子戸の上下を元に戻した状態を示す概略正面図および要部拡大図である。
【図１２】本考案の一人で貼れる障子紙を障子戸に貼り終えた状態を示す概略斜視図である。
【図１３】本考案の一人で貼れる障子紙を構成する障子紙の第４実施例の概略斜視図である。
【図１４】本考案の一人で貼れる障子紙を構成する障子紙の第５実施例を示し、（ａ）は概略正面図、（ｂ）は概略斜視図、（ｃ）は芯材の一方を気泡緩衝材に置き換えた概略正面図である。
【考案を実施するための形態】
【００１９】
以下、本考案の一人で貼れる障子紙の実施の形態を詳細に説明する。
図１は、本考案の一人で貼れる障子紙の第１実施例であり、図２および図３は本考案の一人で貼れる障子紙の第２実施例であり、図４は本考案の一人で貼れる障子紙の第３実施例であり、図１３は本考案の一人で貼れる障子紙の第４実施例であり、図１４は本考案の一人で貼れる障子紙の第５実施例である。
そして、図５ないし図１２は、本考案の一人で貼れる障子紙の第１実施例を適用した障子紙の障子戸への貼り方の工程例である。
【００２０】
まず、本考案の一人で貼れる障子紙の第１実施例において、障子紙１１は、図１に示すように、筒状の中芯１２に巻き取られているものである。
このとき、前記障子紙１１は、一枚の障子戸の上下の横桟から形成される全ての段に貼付する枚数分を積層させた上で、前記筒状の中芯１２に巻き取られるようにしておくとよい。この筒状の中芯１２を使用したことにより、製造時に障子紙１１を確実に巻き上げることができて商品価値が向上する。
このようにすることで、前記障子戸の上下の横桟から形成される各段分の障子紙１１どうしは連続的に形成されていないので、前記障子紙１１を一段目に貼付した後、次の段に貼付する障子紙１１の貼付開始部で切り取る必要がなく、直ちに次の段への障子紙１１の貼付を行うことができるのである。
【００２１】
本考案の一人で貼れる障子紙の貼付の工程例として、第１実施例の障子紙１１を用いた障子紙の障子戸への貼り方について図５ないし図１２を用いて説明する。
まず、図５に示すように、障子戸１０の上下を逆さにして壁などに立てかける。図において、１０ａは障子戸１０の上部、１０ｂは障子戸１０の下部である。そして、図６ないし図１０に示すように、前記障子紙１１を手にもって、前記障子戸１０の上下を逆さにした状態における上部から一段ずつ貼り付ける。
もちろん、障子戸やその設置環境によっては、鴨居に入ったままでもよく、上下を逆さにせずに壁などにそのまま立てかけておいてもよい。すなわち、本考案の一人で貼れる障子紙は、障子戸の上下の横桟から形成される段ごとに一枚ずつ貼付することができるようにしてあるので、障子戸を立てたまま、貼付する者の貼付のしやすいように、無理なく一人で貼付することができるのである。
【００２２】
このような手順で前記障子戸１０の各段の横桟１３に前記障子紙１１を貼り付けていけば、各段の横桟１３に沿って整然と貼り付けることができる。また筒状の中芯１２部分を手に持ちながら障子紙１１を引き伸ばしていけば、障子紙１１をピンとした状態で貼り付けることができ、かつ極めて皺になりにくい作業となり、誰でも皺なくきれいに障子紙を貼り付けることができる。
そして、図１１または図１２に示すように、前記障子紙１１を貼り終えた前記障子戸１０の上下を元に戻して所定の場所に再設置する。
【００２３】
上記中芯１２の素材としては、紙製のものや樹脂製のもの、金属製のもの等が問題なく利用することができるが、硬質の紙製のものや変形の少ない硬質樹脂製のもの、アルムパイプ等の軽量な金属製のもの等が好適に利用できる。
【００２４】
以上のように、前記障子紙１１を上下を逆にした障子戸１０の上部から一段ずつ貼り付けていけば、上側の障子紙１１の下端と下側の障子紙１１の上端が糊付け部分１１ａにおいて、下側の障子紙の上端が露出した状態で重なり合って隙間なく貼ることができ、かつ作業者が一人であっても貼ることができるのである。
そして、図１１または図１２のように、前記障子戸１０の上下を元に戻すと、前記糊付け部分１１ａにおける、上側の障子紙の下端が下向きに露出した状態となるため、当該上側の障子紙の下端の露出部分に塵等が積もったり、汚損することを防ぐことができるのである。
また、前記障子紙１１の貼り終わった端部のはみだし部分（図示せず）があれば、障子戸１０の全体に各段の各障子紙１１を貼り終わった後に切り取ってもよい。
【００２５】
図２および図３は、本考案の一人で貼れる障子紙の第２実施例を示すものである。図２に示すように、障子戸の上下の横桟から形成される一段分の障子紙２１は、芯材に巻き取られることなく小巻の筒状体に丸めてある。そして、図３に示すように、別途用意した収納容器２３に所定の段数分を横並びに収納して、薄板状に梱包し包装することができる。
この薄板状の収納容器２３は、各戸の郵便受け等の横長の郵便物投函口にも投函することができる程の大きさにするとよい。このように前記障子紙２１を薄板状に包装することにより車載の荷物としても何の問題なく運送することができるとともに、郵便物投函口に投函することができるので、再配達等の心配もなく、輸送コストを大幅に低減することができる。
なお、前記収納容器２３内には、小巻の筒状体に丸められた前記障子紙２１とともに、紙管等の芯材（図示せず）を複数収納することもでき、貼付する者が前記芯材に前記障子紙２１を巻き取ってから、障子戸へ貼付するようにしてもよい。さらに、前記芯材は気泡緩衝材のような軽量かつ安価なものとすることもできる。
【００２６】
このように、収納容器２３に所定の段数分を横並びに収納するとともに、収納容器２３に薄板状に包装することによって、包装された収納容器２３を店頭に飾るときは整然と飾ることができ、持ち運ぶ際にも全くかさ張ることなく非常に手軽に持ち運ぶことができるようになった。
【００２７】
また、収納容器２３内に薄板状に包装することによって、前記各段の障子紙２１を並べて店頭に配列することができ、しかも収納容器２３内の各障子紙２１を適宜色違いのものとして整列させて収納しておけば極めて装飾性に富む陳列棚となるのである。そして、障子紙２１を貼付する者は、自らの好み、障子戸の設置環境等をふまえ、必要な色味の障子紙２１を選択することができるので、いろいろな種類の障子紙が貼付された障子戸をえることができるのである。
【００２８】
図４は、本考案の一人で貼れる障子紙の第３実施例を示すものである。
図４（ａ）,（ｂ）に示すように、本考案の一人で貼れる障子紙３１は、一枚の障子戸の上下の横桟から形成される全ての段に貼付する枚数分を積層させた上で、四つ折りに折りたたむようにして梱包される。その際、折り返し部分３１ａ，３１ｂには、芯材３２を配置し、前記折り返し部分３１ａ，３１ｂにおいて前記障子紙３１が前記芯材３２の周面に沿って折り返してある。
このようにすることで、前記障子紙３１は、前記折り返し部分３１ａ，３１ｂにおいて、折り返しによる折り目の形成を防止することができ、このようにして梱包され包装された前記障子紙３１を障子戸に貼付する者に輸送すれば、貼付する者の手元に届いた時点においても、一切折り目のない障子紙３１を提供することができるのである。
なお、図４（ｃ）に示すように、折り返し部分３１ａ，３１ｂのいずれか一方において、前記芯材３２の代わりに、気泡緩衝材３３を丸めた筒状体として配置してもよい。
【００２９】
図１３は、本考案の一人で貼れる障子紙の第４実施例であって、障子紙４１は、図１３に示すように、筒状の中芯４２に巻き取られているものである。
このとき、前記障子紙４１は、一枚の障子戸の上下の横桟から形成される縦幅を備えた長尺の１枚の障子紙を前記筒状の中芯４２に巻き取られるようにしておくとよい。この筒状の中芯４２は前記巻き取られた障子紙４１の中心から抜き差しが可能としてあるため、前記筒状の中芯４２を使用したことにより、製造時に障子紙４１を確実に巻き上げることができ、かつ、購入者が前記障子紙４１を障子戸に貼付する際に前記障子紙４１を前記障子戸の１段分の長さに切り取った上で前記筒状の中芯４２に巻き付けて容易にかつ正確に、手際よく障子戸に貼付することができて商品価値が向上する。
【００３０】
図１４は、本考案の一人で貼れる障子紙の第５実施例を示すものである。
図１４（ａ）,（ｂ）に示すように、本考案の一人で貼れる障子紙５１は、一枚の障子戸の上下の横桟から形成される全ての段に貼付する枚数分を積層させた上で、四つ折りに折りたたむようにして梱包される。その際、折り返し部分５１ａ，５１ｂには、芯材５２を配置し、前記折り返し部分５１ａ，５１ｂにおいて前記障子紙５１が前記芯材５２の周面に沿って折り返してある。
このようにすることで、前記障子紙５１は、前記折り返し部分５１ａ，５１ｂにおいて、折り返しによる折り目の形成を防止することができ、このようにして梱包され包装された前記障子紙５１を障子戸に貼付する者に輸送すれば、貼付する者の手元に届いた時点においても、一切折り目のない障子紙５１を提供することができるのである。
なお、図１４（ｃ）に示すように、折り返し部分５１ａ，５１ｂのいずれか一方において、前記芯材５２の代わりに、気泡緩衝材５３を丸めた筒状体として配置してもよい。
また、第５実施例においては、前記芯材５２を使用したことにより、購入者が前記障子紙５１を障子戸に貼付する際に前記障子紙５１を前記芯材５２に巻き付けて障子戸に貼付すれば、容易にかつ正確に、手際よく障子紙５１を障子戸に貼付することができ商品価値が向上する。
【産業上の利用可能性】
【００３１】
本考案の一人で貼れる障子紙は、例えば障子戸を上下を逆にして壁などに立てかけ、一段の横桟分の障子紙を横桟ごとに上部から一段ずつ貼り付けるようにしたものである。
したがって、非常に効率よくスピーディに、かつ皺の発生もなく貼ることができ、この種の障子紙を利用した建具のみならず、様々な用途の光を取り入れる紙製の建具にも適宜利用することができる。
【符号の説明】
【００３２】
１０  障子戸
１０ａ  障子戸の上部
１０ｂ  障子戸の下部
１１  障子紙
１１ａ  重なり部分
１２  中芯
１３  横桟
２１  障子紙
２３  収納容器
３１  障子紙
３１ａ，３１ｂ  折り返し部分
３２  芯材
３３  気泡緩衝材
４１  障子紙
４２  中芯
５１  障子紙
５１ａ，５１ｂ  折り返し部分
５２  芯材
５３  気泡緩衝材
【図１】
0003234777.tif 000003
【図２】
0003234777.tif 000004
【図３】
0003234777.tif 000005
【図４】
0003234777.tif 000006
【図５】
0003234777.tif 000007
【図６】
0003234777.tif 000008
【図７】
0003234777.tif 000009
【図８】
0003234777.tif 000010
【図９】
0003234777.tif 000011
【図１０】
0003234777.tif 000012
【図１１】
0003234777.tif 000013
【図１２】
0003234777.tif 000014
【図１３】
0003234777.tif 000015
【図１４】
0003234777.tif 000016